(57)【要約】【課題】  住宅内で使用するホームエレベーターは、ロープによる巻胴式、トラクション式、スクリュー式、直接油圧式が知られているが、比較的複雑で住宅内への設置に手間がかかり、価格の点でも高価であるなどの問題がある。【解決手段】  建物８に配設固定されたフレーム部２と、フレーム部２に昇降自在に設けられたかご部３において、かご部３に設けられたかご側ドア部５は、かご側外方ドア５Ｄの開閉とかご側内方ドアの開閉が連動するよう構成され、建物の各階に設けられた建物側出入り口部６は、建物側外方ドアの開閉と建物側内方ドアの開閉が連動するよう構成され、かご側外方ドアと建物側内方ドアとの間には互いに係脱する開閉コマ部７が設けられている。【選択図】  図１
2005112512.tif 000002
【特許請求の範囲】
【請求項１】
住宅などの建物（８）における所望する箇所に配設固定されたフレーム部（２）と、フレーム部（２）にウエイト部（４）によって昇降自在に設けられたかご部（３）において、かご部（３）に設けられたかご側ドア部（５）は、かご側内方ドア（５Ｃ）と、かご側外方ドア（５Ｄ）から構成されていると共に、かご側外方ドアの開閉はかご側内方ドアの開閉に連動するよう構成され、住宅などの建物に設けられた建物側出入り口部（６）は、当該建物における最下階用建物側内方ドア（６Ｃ）と建物側外方ドア（６Ｄ）、中間階用建物側内方ドア（６Ｃ）と建物側外方ドア（６Ｄ）、最上階用建物側内方ドア（６Ｃ）と建物側外方ドア（６Ｄ）から構成され、各建物側外方ドアの開閉は各建物側内方ドアの開閉に連動するよう構成され、かご側外方ドアと各建物側内方ドアとの間には互いに係脱する開閉コマ部（７）が設けられていることを特徴とするホームエレベーター。
【請求項２】
請求項１記載のホームエレベーターにおいて、フレーム部（２）は、かご吊り用フレーム（３Ｂ１）と、メインチェーン（３Ｂ２）と、チェーンのたるみ検知部（３Ｂ３）と、補助チェーン（３Ｂ４）から構成されているかご吊り装置（３Ｂ）を介してウエイト部（４）と連結されていることを特徴とするホームエレベーター。
【発明の詳細な説明】
【技術分野】
【０００１】
本発明は、新規な構成を有する家庭内での使用に好適なエレベーターに関するものである。
【背景技術】
【０００２】
従来、建物内で使用するホームエレベーターは、ロープによる巻胴式、トラクション式、またスクリュー式、直接油圧式が知られている。また、扉の駆動機構、ゲージ駆動機構を簡素化する提案もなされている。（特許文献１）
【特許文献１】特開２００１−３０２１５４号公報
【発明の開示】
【発明が解決しようとする課題】
【０００３】
従来の建物内で使用するホームエレベーターは、比較的複雑で建物内への設置に手間がかかり、価格の点でも高価である、また、扉の駆動機構、ゲージ駆動機構を簡素化するものについては、ケージおよびフロアにおける駆動扉と従動扉を連動させる機構が複雑であるなどの問題を指摘することができる。
【課題を解決するための手段】
【０００４】
請求項１記載の発明は、住宅などの建物８における所望する箇所に配設固定されたフレーム部２と、フレーム部２にウエイト部４によって昇降自在に設けられたかご部３において、かご部３に設けられたかご側ドア部５は、かご側内方ドア５Ｃと、かご側外方ドア５Ｄから構成されていると共に、かご側外方ドアの開閉はかご側内方ドアの開閉に連動するよう構成され、住宅などの建物に設けられた建物側出入り口部６は、当該建物における最下階用建物側内方ドア６Ｃと建物側外方ドア６Ｄ、中間階用建物側内方ドア６Ｃと建物側外方ドア６Ｄ、最上階用建物側内方ドア６Ｃと建物側外方ドア６Ｄから構成され、各建物側外方ドアの開閉は各建物側内方ドアの開閉に連動するよう構成され、かご側外方ドアと各建物側内方ドアとの間には互いに係脱する開閉コマ部７が設けられていることを特徴としている。
【０００５】
請求項２記載の発明は、請求項１記載の発明において、フレーム部２は、かご吊り用フレーム３Ｂ１と、メインチェーン３Ｂ２と、チェーンのたるみ検知部３Ｂ３と、補助チェーン３Ｂ４から構成されているかご吊り装置３Ｂを介してウエイト部４と連結されていることを特徴としている。
【発明の効果】
【０００６】
本発明のものは上述のように構成されているので、下記の効果を期待することができる。
Ａ．トラクション式のダブルシャフトとダブルチェーンを使用し、安全性と効率性を高めることができる。
Ｂ．出入り口部のドアの開閉装置を開閉コマ部により単純構造にすることで、耐久性を高めることができる。
Ｃ．１個のモーターで内外の出入り口部のドアを連動して開閉できる。
Ｄ．フレーム部２を建物の構造体に緊結することで、容易にかつ確実に設置できる。
Ｅ．構造が比較的簡単、コンパクトに構成されているので、価格を安価にすることができる。
【発明を実施するための最良の形態】
【０００７】
１は本発明のホームエレベーターで、フレーム部２と、かご部３と、ウエイト部４と、かご側ドア部５と、建物側出入り口部６と、開閉コマ部７から構成されている。
【実施例１】
【０００８】
Ａ．フレーム部２は、建物内におけるエレベーターの設置所望箇所に形成された床面２Ａ１１が設けられた平面方形の基礎２Ａと、基礎上に設置されたメインフレーム２Ｂと、上方吊り枠２Ｃと、緩衝バネ２Ｄと、かご左ガイドレール２Ｅと、かご右ガイドレール２Ｆと、ウエイト振れ防止ガイド２Ｇから構成されている。
当然のことながら、フレーム部２は住宅などの建物８における所望する箇所に配設固定される。
ａ１．メインフレーム２Ｂは、基礎２Ａ上に土台２Ａ１を介して設けられた平面方形の下端枠２Ｂ１の前端に連結された前左縦支柱２Ｂ２と前右縦支柱２Ｂ２と、下端枠２Ｂ１の後端に連結された後左縦支柱２Ｂ３と後右縦支柱２Ｂ３と、前左縦支柱、後左縦支柱、後右縦支柱及び前右縦支柱の上端を連結する上端枠２Ｂ４と、これらを連結する適数段の中間枠２Ｂ５から構成されている。
ａ２．上方吊り枠２Ｃは、平面左右に長い底板２Ｃ１と底板の前後辺に上方に向け連設された前後壁２Ｃ２から構成されている。
そして、この上方吊り枠２Ｃは、メインフレーム２Ｂの上端枠２Ｂ４における左右部分の中央に左右方向をもって掛架固定されている。
ａ３．緩衝バネ２Ｄは、床面２Ａ１１に植設された上方に作用する４本のコイルスプリング２Ｄ１から構成されている。
ａ４．かご左ガイドレール２Ｅは、メインフレーム２Ｂにおける下端枠２Ｂ１と上端枠２Ｂ４における左方部分の中央内側に所定間隔をもって取付けられた開き止め２Ｅ１と、この開き止めを利用して前後に所定間隔をもって取付けられた角柱状の左前レール２Ｅ２と左後レール２Ｅ２から構成されている。
ａ５．かご右ガイドレール２Ｆは、メインフレーム２Ｂにおける下端枠２Ｂ１と上端枠２Ｂ４における右方部分の中央内側に所定間隔をもって取付けられた開き止め２Ｆ１と、この開き止めを利用して前後に所定間隔をもって取付けられた角柱状の右前レール２Ｆ２と右後レール２Ｆ２から構成されている。
ａ６．ウエイト振れ防止ガイド２Ｇは、メインフレーム２Ｂにおける下端枠２Ｂ１と上端枠２Ｂ４における左方部分の中央外側の前後に所定間隔をもって取付けられた角柱状の前ガイド２Ｇ１と後ガイド２Ｇ２から構成されている。
【０００９】
Ｂ．かご部３は、かご本体３Ａと、かご吊り装置３Ｂと、左振れ防止具３Ｃと、右振れ防止具３Ｄから構成されている。
ｂ１．かご本体３Ａは、床面３Ａ１と、床面の左右辺に連設された左右壁３Ａ２と、床面の後辺に連設された背面壁３Ａ３と、左右壁と背面壁に連設された天井面３Ａ４から構成されている。
図中、３Ａ５は正面開口部である。
ｂ２．かご吊り装置３Ｂは、かご吊り用フレーム３Ｂ１と、メインチェーン３Ｂ２と、チェーンのたるみ検知部３Ｂ３と、補助チェーン３Ｂ４から構成されている。
ｂ２１．かご吊り用フレーム３Ｂ１は、かご本体３Ａの上面中央に左右方向をもって並立固定された前後の起立板３Ｂ１１と、前後の起立板の中央に左右方向をもって固定された下方横板３Ｂ１２と、下方横板の上面に積層された上方横板３Ｂ１３と、上方横板の左右端部分に設けた下方横板を上方に引き寄せる左右のスプリング部３Ｂ１４から構成されている。
スプリング部３Ｂ１４の構成は、下方横板３Ｂ１２の両端に植設したボルト３Ｂ１Ｂと、ボルトに遊嵌したコイルスプリング３Ｂ１Ｓと、コイルスプリングを上方から押えるナット３Ｂ１Ｎから構成されている。
下方横板３Ｂ１２には、当該下方横板と上方横板３Ｂ１３とが一定以上離れた場合に作動する第１リミットスイッチ３ＢＳが設けられている。
ｂ２２．メインチェーン３Ｂ２は上方から垂下され、下端は上方横板３Ｂ１３の中心に連結されている。
ｂ２３．チェーンのたるみ検知部３Ｂ３は、メインチェーン３Ｂ２の下端近傍に設けた前方に向けた２枚の接触板３Ｂ３１と、この接触板の動きに連動して当該チェーンにたるみが発生した時、チェーンの作動を停止する第２リミットスイッチ３Ｂ３２から構成されている。
ｂ３．左振れ防止具３Ｃは、上方左振れ防止具３Ｃ１と下方左振れ防止具３Ｃ２から構成されている。
上方左振れ防止具３Ｃ１は、前後の防止体３Ｃ１１、３Ｃ１２から構成されている。
前後の防止体は、かご部３の天井面３Ａ４の左方辺より外方へ延出したブラケットに、左前レール２Ｅ２と左後レール２Ｅ２の側面に当接回転するコロＫ１を設けて構成されている。
下方左振れ防止具３Ｃ２は、前後の防止体３Ｃ２１、３Ｃ２２から構成されている。
前後の防止体は、かご部３の床面３Ａ１の左方辺より外方へ延出したブラケットに、左前レール２Ｅ２と左後レール２Ｅ２の側面に当接回転するコロＫ１を設けて構成されている。
ｂ４．右振れ防止具３Ｄは、上方右振れ防止具３Ｄ１と下方右振れ防止具３Ｄ２から構成されている。
上方右振れ防止具３Ｄ１は、前後の防止体３Ｄ１１、３Ｄ１２から構成されている。
前後の防止体は、かご部３の天井面３Ａ４の右方辺より外方へ延出したブラケットに、右前レール２Ｆ２と右後レール２Ｆ２の側面に当接回転するコロＫ１を設けて構成されている。
下方右振れ防止具３Ｄ２は、前後の防止体３Ｄ２１、３Ｄ２２から構成されている。
前後の防止体は、かご部３の床面３Ａ１の右方辺より外方へ延出したブラケットに、右前レール２Ｆ２と右後レール２Ｆ２の側面に当接回転するコロＫ１を設けて構成されている。
Ｃ．ウエイト部４は、ウエイト振れ防止ガイド２Ｇに昇降自在に構成されたウエイト４Ａに、メインチェーン３Ｂ２の先端を上方吊り枠２Ｃ内に配設されたメインチェーン駆動用ギヤ群４Ｂを介して、また、補助チェーン３Ｂ４の先端を上方吊り枠２Ｃ内に配設された補助チェーン駆動用ギヤ群４Ｃを介して連結して構成されている。
図中、４Ｄは駆動用モーターである。
【００１０】
Ｄ．かご側ドア部５は、かご側敷居５Ａとかご側鴨居５Ｂと、かご側内方ドア５Ｃと、かご側外方ドア５Ｄと、かご側外方ドア体駆動具５Ｅから構成されている。
ｄ１．かご側敷居５Ａは、かご側内方ドアとかご側外方ドアの移動用溝が形成されている敷居体が、かご部３の正面開口部３Ａ５の下辺に位置し、正面開口部より左方に所定寸法延出した状態で連設して構成されている。
ｄ２．かご側鴨居５Ｂは、内方ドア用鴨居５Ｂ１と外方ドア用鴨居５Ｂ２から構成されている。
ｄ２１．内方ドア用鴨居５Ｂ１は、かご側内方ドアの移動用溝が形成されている鴨居体が、かご部３の正面開口部３Ａ５の上辺に位置し、この正面開口部より左方に所定寸法延出した状態で連設して構成されている。
ｄ２２．外方ドア用鴨居５Ｂ２は、かご側外方ドアの移動用溝が形成されている鴨居体が、かご部３の正面開口部３Ａ５より少し高い位置に位置し、この正面開口部より左方に所定寸法延出した状態で連設して構成されている。
ｄ３．かご側内方ドア５Ｃは、正面方形のドア体５Ｃ１の上下には移動用溝内を転動する車輪５Ｃ２が設けられていると共に、ドア体５Ｃ１の左右辺には前方に向けた係合突条５Ｃ１１が形成されている。
ｄ４．かご側外方ドア５Ｄは、正面方形のドア体５Ｄ１の上下には移動用溝内を転動する車輪５Ｄ２が設けられていると共に、ドア体５Ｄ１の左辺には後方に向けた係合突条５Ｄ１１が形成されている。
ｄ５．かご側外方ドア駆動具５Ｅは、かご側外方ドアの裏面上辺に設けたブラケット５Ｅ１に左右方向にエンドレスで回動自在の状態で配設されたチェーン５Ｅ２を、かご本体３Ａの上面に設けたモーターＭで正逆に回動させ、かご側外方ドアを開閉するよう構成されている。
５Ｅ３は、外方ドア用鴨居５Ｂ２の裏面における左右端位置に配設されたリミットスイッチである。
【００１１】
Ｅ．建物側出入り口部６は、建物側敷居６Ａと、建物側鴨居６Ｂと、建物側内方ドア６Ｃと、建物側外方ドア６Ｄから構成されている。
ｅ１．建物側敷居６Ａは、建物側内方ドアの移動用溝と建物側外方ドアの移動用溝が形成されている敷居体が、出入り口６Ａ１の下辺に位置し、出入り口より左方に所定寸法延出した状態で連設して構成されている。
ｅ２．建物側鴨居６Ｂは、建物側内方ドアの移動用溝と建物側外方ドアの移動用溝が形成されている鴨居体が、出入り口６Ａ１の下辺に位置し、出入り口より左方に所定寸法延出した状態で連設して構成されている。
ｅ３．建物側内方ドア６Ｃは、正面方形のドア体６Ｃ１の上下には移動用溝内を転動する車輪６Ｃ２が設けられていると共に、ドア体６Ｃ１の左辺には前方に向けた係合突条６Ｃ１１が形成されている。
ｅ４．建物側外方ドア６Ｄは、正面方形のドア体６Ｄ１の上下には移動用溝内を転動する車輪６Ｄ２が設けられていると共に、ドア体６Ｄ１の左右辺には後方に向けた係合突条６Ｄ１１が形成されている。
Ｆ．開閉コマ部７は、かご側ドア部５におけるかご側外方ドア５Ｄと、建物側出入り口部６における建物側内方ドア６Ｃとの間に互いに対応する状態で設けられている。
開閉コマ部７は、かご側外方ドア５Ｄの外方面に突設された小棒状のコマ７Ａと、建物側内方ドア６Ｃの内方面に突設されたコマ受け群７Ｂから構成されている。
ｆ１．コマ受け群７Ｂは、例えば、３階建ての建物８の１階８１に対応する最下階用コマ受け７Ｂ１、２階８２に対応する中間階用コマ受け７Ｂ２、３階８３に対応する最上階用コマ受け７Ｂ３から構成されている。
ｆ２．最下階用コマ受け７Ｂ１は、１階８１に取付けられた建物側出入り口部６における建物側内方ドア６Ｃの内方面に突設された板状体７Ｂ１１と、板状体に刻設された縦溝７Ｂ１２からなり、この縦溝の下方には、降下してくるかご側外方ドア５Ｄにおける小棒状のコマ７Ａが最下端位置になった時、小棒状のコマを挟持する細幅部分が形成されている。
ｆ３．中間階用コマ受け７Ｂ２は、２階８２に取付けられた建物側出入り口部６における建物側内方ドア６Ｃの内方面に突設された板状体７Ｂ２１と、板状体に刻設された縦溝７Ｂ２２からなり、この縦溝の中央には、降下あるいは上昇してくるかご側外方ドア５Ｄにおける小棒状のコマ７Ａが所定位置になった時、小棒状のコマをゆるく挟持する細幅部分が形成されている。
ｆ４．最上階用コマ受け７Ｂ３は、３階８３に取付けられた建物側出入り口部６における建物側内方ドア６Ｃの内方面に突設された板状体７Ｂ３１と、板状体に刻設された縦溝７Ｂ３２からなり、この縦溝の上方には、上昇してくるかご側外方ドア５Ｄにおける小棒状のコマ７Ａが最上端位置になった時、小棒状のコマを挟持する細幅部分が形成されている。
ｆ５．かご側外方ドア５Ｄあるいは建物側内方ドア６Ｃを同時に開閉することができる。
Ｇ．９は挟込み防止装置で、かご側外方ドア５Ｄとドア用縦枠９Ａ間に設けられた緩衝用スプリング９Ｂと、リミットスイッチ９Ｃから構成されている。
図中、１０は錠、１１はバッテリ、１２はコントロールボックスである。
【図面の簡単な説明】
【００１２】
【図１】１部を省略した全体の斜視図である。
【図２】１部を省略した全体の斜視図である。
【図３】１部を省略した全体の斜視図である。
【図４】かご部を中心に見た斜視図である。
【図５】同上における１部を切欠いた要部拡大平面図である。
【図６】かご部と上方吊り枠などの関係を示す背面方向から見た斜視図である。
【図７】かご部と上方吊り枠などの関係を示す背面方向から見た斜視図である。
【図８】かご吊り装置部分の１部を切欠いた斜視図である。
【図９】かご吊り装置の作用を説明する正面図である。
【図１０】かご吊り装置の作用を説明する正面図である。
【図１１】かご吊り装置の作用を説明する正面図である。
【図１２】かご吊り装置の作用を説明する正面図である。
【図１３】全体の構成を説明する略図的説明図である。
【図１４】かご側ドア部や建物側出入り口部などの関係を説明する略図的縦断面図である。
【図１５】かご側ドア部や建物側出入り口部などの関係を説明する略図的縦断面図である。
【図１６】かご側ドア部や建物側出入り口部などの関係を説明する１部を切欠いた略図的平面図である。
【図１７】かご側ドア部や建物側出入り口部などの関係を説明する１部を切欠いた略図的平面図である。
【図１８】敷居と鴨居とドアの関係を説明する縦断面図である。
【図１９】開閉コマ部を説明する縦断面図である。
【図２０】同上の分解斜視図である。
【図２１】ドアにおける挟込み防止装置を示す斜視図である。
【図２２】同上の１部を切欠いた要部拡大正面図である。
【符号の説明】
【００１３】
１  ホームエレベーター
２  フレーム部
３  かご部
４  ウエイト部
５  かご側ドア部
６  建物側出入り口部
７  開閉コマ部
【図１】
2005112512.tif 000003
【図２】
2005112512.tif 000004
【図３】
2005112512.tif 000005
【図４】
2005112512.tif 000006
【図５】
2005112512.tif 000007
【図６】
2005112512.tif 000008
【図７】
2005112512.tif 000009
【図８】
2005112512.tif 000010
【図９】
2005112512.tif 000011
【図１０】
2005112512.tif 000012
【図１１】
2005112512.tif 000013
【図１２】
2005112512.tif 000014
【図１３】
2005112512.tif 000015
【図１４】
2005112512.tif 000016
【図１５】
2005112512.tif 000017
【図１６】
2005112512.tif 000018
【図１７】
2005112512.tif 000019
【図１８】
2005112512.tif 000020
【図１９】
2005112512.tif 000021
【図２０】
2005112512.tif 000022
【図２１】
2005112512.tif 000023
【図２２】
2005112512.tif 000024